(57)【要約】【課題】開口の少なくとも一部を覆う幕体を常に備え、操作性に優れた遮蔽ユニットを提供する。【解決手段】開口を備えた壁面に設けられ中空部を備えた横材と、前記横材の長手方向に沿って設けられる軸と、前記軸に巻き付けられて前記中空部に収容され、前記横材から引き出して繰り出される幕体と、前記横材より上方に引き出した前記幕体の先端側を前記壁面側に係止する係止部材と、を有する。【選択図】図１
2015030974.tif 000002
【特許請求の範囲】
【請求項１】
開口を備えた壁面に設けられ中空部を備えた横材と、
前記横材の長手方向に沿って設けられる軸と、前記軸に巻き付けられて前記中空部に収容され、前記横材から引き出して繰り出される幕体と、
前記横材より上方に引き出した前記幕体の先端側を前記壁面側に係止する係止部材と、
を有することを特徴とする遮蔽ユニット。
【請求項２】
請求項１に記載の遮蔽ユニットであって、
前記幕体は、巻き取り方向に付勢され、当該幕体の先端部には、棒状部材を備え、
前記横材の下部には、前記幕体が挿通され、前記棒状部材の短手方向に沿った断面の最も幅の広い部分の幅より狭い幅のスリットが設けられていることを特徴とする遮蔽ユニット。
【請求項３】
請求項１または請求項２に記載の遮蔽ユニットであって、
前記横材の、前記スリットを形成する当該スリットの前記横材の短手方向である見込み方向の室内側の部位は、前記横材の下方より前記見込み方向の室内側に向かって突出して湾曲し、前記幕体が沿わされる湾曲片をなし、
前記湾曲片の上面が、前記横材の幅方向にわたる溝部をなしていることを特徴とする遮蔽ユニット。
【請求項４】
請求項３に記載の遮蔽ユニットであって、
前記横材は、長手方向の両端部を覆い、かつ前記中空部の小口を塞ぐ端部キャップを備え、
前記端部キャップと前記湾曲片との間には隙間が形成され、
前記溝部は、前記隙間を経由して外部と連通していることを特徴とする遮蔽ユニット。
【請求項５】
請求項１乃至請求項４のいずれかに記載の遮蔽ユニットであって、
前記横材は、下方に開放された開放部を有する横材本体と、
前記開放部の一部を覆って前記横材本体とともに前記スリットを形成するスリット形成部材と、
を有することを特徴とする遮蔽ユニット。
【請求項６】
請求項１乃至請求項４のいずれかに記載の遮蔽ユニットであって、
前記横材は、下方に開放された開放部を有する横材本体を有し、
前記開放部を閉塞するための蓋体が取り付け可能であることを特徴とする遮蔽ユニット。
【請求項７】
請求項１乃至請求項６のいずれかに記載の遮蔽ユニットであって、
前記横材は、手摺りであることを特徴とする遮蔽ユニット。
【請求項８】
請求項１乃至請求項６のいずれかに記載の遮蔽ユニットであって、
前記横材は、前記壁面に設けられたフラワーボックスを構成する横材であることを特徴とする遮蔽ユニット。
【発明の詳細な説明】
【技術分野】
【０００１】
本発明は、開口を備えた壁面に設けられた横材を有する遮蔽ユニットに関する。
【背景技術】
【０００２】
建物等の開口となる窓が形成されている壁面の屋外側に、支柱を備えた幕体や葦簀を立て掛ける、或いは、幕体や簾を吊り下げるなどして屋内への日照を避ける日除けとする、または、視線を遮る目隠しとすることがある。また、窓に設けられた面格子を支持している上枠に固着されたケーシングに収容された、巻装されたシート状のスクリーンを引き下げて面格子の盲板の状態とする巻き取り式スクリーンも知られている（例えば、特許文献１参照）。
【先行技術文献】
【特許文献】
【０００３】
【特許文献１】特開２００３−２０６６７９号公報
【発明の概要】
【発明が解決しようとする課題】
【０００４】
上記のような幕体や葦簀及び簾は、使用しないときには取り外して保管し、使用するときに設置しなければならないので、取り扱いが煩雑である。また、上記のような巻き取り式スクリーンは、ケーシングが面格子を支持している上枠に固着されているので、面格子を有していない窓には取り付けることができない。また、面格子の上枠は、窓、すなわち、建物から離れているので、スクリーンを上枠から引き下げたとしても、上枠と窓との間は覆われていないため、上方から日差しが入り日除けとしては適さないという課題がある。
【０００５】
本発明は、かかる課題に鑑みてなされたものであり、その目的とするところは、開口の少なくとも一部を覆う幕体を常に備え、操作性に優れた遮蔽ユニットを提供することにある。
【課題を解決するための手段】
【０００６】
かかる目的を達成するために本発明の遮蔽ユニットは、開口を備えた壁面に設けられ中空部を備えた横材と、前記横材の長手方向に沿って設けられる軸と、前記軸に巻き付けられて前記中空部に収容され、前記横材から引き出して繰り出される幕体と、前記横材より上方に引き出した前記幕体の先端側を前記壁面側に係止する係止部材と、を有することを特徴とする遮蔽ユニットである。
【０００７】
このような遮蔽ユニットによれば、横材内に設けられた幕体を上方に引き出し、その先端を壁面側に設けられている係止部材に係止することにより横材より上側からの日射を遮る日除けを設けることが可能である。また、横材を窓の下端側に配置することにより目隠しとしても使用することが可能である。このとき、幕体は横材が備える中空部に設けられているので、幕体を上方に引き出すだけで、日除けまたは目隠しを設置することが可能である。このため、開口の少なくとも一部を覆う幕体を常に備え、操作性に優れた遮蔽ユニットを提供することが可能である。
【０００８】
かかる遮蔽ユニットであって、前記幕体は、巻き取り方向に付勢され、当該幕体の先端部には、棒状部材を備え、前記横材の下部には、前記幕体が挿通され、前記棒状部材の短手方向に沿った断面の最も幅の広い部分の幅より狭い幅のスリットが設けられていることが望ましい。  
このような遮蔽ユニットによれば、幕体は横材内に引き込まれる方向に付勢されており、幕体の先端には、棒状部材が設けられており、横材には棒状部材の短手方向に沿った断面の最も幅の広い部分の幅より狭い幅のスリットが設けられているので、幕体を、その先端が横材の外側に露出した状態で横材内に巻き取ることが可能である。このため、幕体を引き出しやすい状態で横材内に収容することが可能である。また、スリットは横材の下部に設けられているので、スリットから雨水等が直接浸入することを防止することが可能である。
【０００９】
かかる遮蔽ユニットであって、前記横材の、前記スリットを形成する当該スリットの前記横材の短手方向である見込み方向の室内側の部位は、前記横材の下方より前記見込み方向の室内側に向かって突出して湾曲し、前記幕体が沿わされる湾曲片をなし、前記湾曲片の上面が、前記横材の幅方向にわたる溝部をなしていることが望ましい。  
このような遮蔽ユニットによれば、幕体は、先端が横材より上方に係止されたときに湾曲片に沿わされているので、降雨等により雨水等が幕体上を流れると、湾曲片上の溝部に導かれる。このため、雨水等を幕体上から排除することが可能であり、さらには降雨によって水滴が付着した幕体を横材内に収容する際、湾曲片によって幕体表面を軽く摺動しながら横材内に収容される為、幕体に付着した水滴を取り去ることが可能であり、横材内に入る水の浸入を抑制することが可能である。また、幕体が横材内に収容されるときに摺動するおそれがある、スリットの室内側の部位は、中空部より外側に突出して湾曲しているので、幕体が収容される際に、幕体が損傷することを防止することが可能である。
【００１０】
かかる遮蔽ユニットであって、前記横材は、長手方向の両端部を覆い、かつ前記中空部の小口を塞ぐ端部キャップを備え、前記端部キャップと前記湾曲片との間には隙間が形成され、前記溝部は、前記隙間を経由して外部と連通していることが望ましい。  
このような遮蔽ユニットによれば、中空部を有する横材の小口は端部キャップにより塞がれているので、溝部に至った雨水等が中空部内に入ることを防止し、幕体が濡れることを防止することが可能である。また、溝部は、隙間を通じて外部と連通しているので、溝部に至った雨水等を横材の外側に排出することが可能であり、また、幕体表面の水滴を取り去った際に発生する水滴は、溝部によって外部へ排出することが可能である。このとき、溝部は隙間を経由して外部と連通しているので、溝部の端部は外部に露出しない。このため、意匠性に優れた遮蔽ユニットを提供することが可能である。
【００１１】
かかる遮蔽ユニットであって、前記横材は、下方に開放された開放部を有する横材本体と、前記開放部の一部を覆って前記横材本体とともに前記スリットを形成するスリット形成部材と、を有することが望ましい。  
このような遮蔽ユニットによれば、スリット形成部材を横材本体に取り付けることによりスリットが形成されるので、横材本体に収容され軸に巻き付けられた幕体の先端部をスリットから突出させて装着することも容易である。
【００１２】
かかる遮蔽ユニットであって、前記横材は、下方に開放された開放部を有する横材本体を有し、前記開放部を閉塞するための蓋体が取り付け可能であることが望ましい。  
このような遮蔽ユニットによれば、横材本体に蓋体を取り付けることにより開放部を閉塞できるので、幕体が不要な場合には、開放部を閉塞して使用することが可能である。
【００１３】
かかる遮蔽ユニットであって、前記横材は、手摺りであることが望ましい。  
このような遮蔽ユニットによれば、手摺り内に備えられた幕体を引き出して日除けまたは目隠しを設置することが可能である。このため、幕体を備えるためだけに別途横材を備える必要がないので、意匠性に優れた遮蔽ユニットを提供することが可能である。
【００１４】
かかる遮蔽ユニットであって、前記横材は、前記壁面に設けられたフラワーボックスを構成する横材であることが望ましい。  
このような遮蔽ユニットによれば、フラワーボックスを構成する横材内に備えられた幕体を引き出して日除けまたは目隠しを設置することが可能である。このため、幕体を備えるためだけに別途横材を備える必要がないので、意匠性に優れた遮蔽ユニットを提供することが可能である。
【発明の効果】
【００１５】
本発明によれば、開口の少なくとも一部を覆う幕体を常に備え、操作性に優れた遮蔽ユニットを提供することが可能である。
【図面の簡単な説明】
【００１６】
【図１】図１（ａ）は、本実施形態の一例である手摺りユニットのシェードが収容された状態を示す外観図であり、図１（ｂ）は、手摺りユニットのシェードが引き出された状態を示す外観図である。
【図２】建物に取り付けられた手摺りユニットを示す縦断面図である。
【図３】建物に取り付けられた手摺りユニットを示す横断面図である。
【図４】スリット形成部材が取り外された手摺りユニットを示す斜視図である。
【図５】図５（ａ）は、手摺りユニットにおける一方の端部の構成を示す斜視図であり、図５（ｂ）は、手摺りユニットにおける他方の端部の構成を示す斜視図である。
【図６】手摺りユニットの内部構造を示す縦断面図である。
【図７】手摺りユニットが有する溝部の排水経路を示す斜視図である。
【図８】連結支持材の構成を示す斜視図である。
【図９】図９（ａ）は、蓋体に付け替えた構成を示す斜視図であり、図９（ｂ）は、蓋体の取り付け方を示す斜視図である。
【図１０】本発明の変形例を示す斜視図である。
【発明を実施するための形態】
【００１７】
以下、本発明の一実施形態に係る遮蔽ユニットについて図面を参照して説明する。
【００１８】
本実施形態においては、本発明にかかる遮蔽ユニットとして、建物に備えられた腰高の窓に設けられた手摺りに、日除け用の幕体としてのシェードが引き出し可能に収容され、シェードを引き出して窓からの日差しを遮ることが可能な手摺りユニットを例に挙げて説明する。
【００１９】
手摺りは建物の屋外側に設けられているので、以下の説明では、屋内が室内に相当し、屋外が室外に相当する。また、手摺りユニットを屋外側から見たときに、上下となる方向を上下方向、左右となる方向を左右方向または見付け方向、屋内外方向である奥行き方向を見込み方向として示す。尚、手摺りユニットを構成する各部材は、単体として説明する場合であっても、建物等に取り付けられた状態で上下方向、左右方向、見込み方向等となる方向にて方向を特定して説明する。
【００２０】
本実施形態の手摺りユニット１は、図１〜図３に示すように、開口をなす腰高の窓５を備えた壁面６の屋外側に設けられた手摺り２と、屋外側に露出する窓枠５ａの壁面６側に設けられ手摺り２より上方に引き出したシェード２１２の先端側が係止される係止部材３と、を有している。
【００２１】
手摺り２は、内部に幕体としてのシェード２１２が巻き付けられたシェードユニット２１０と、シェードユニット２１０を収容可能な中空部２２０ａを有する横材としての手摺り材２２０と、手摺り材２２０を見付け方向における両端部側にて壁面６に固定して支持する２つの連結支持材２３０と、を有している。
【００２２】
シェードユニット２１０は、図３に示すように、手摺り２の長手方向となる見付け方向における窓５の幅より広い幅を有し、窓５の上下方向の長さより長い長さを有するスクリーン状のシェード２１２と、シェード２１２の長さ方向の一方の端部が外周面に固定されて巻き付けられた軸をなし内部に空間を備えた軸体２１４と、軸体２１４内に設けられ、軸体２１４が手摺り材２２０内に設けられたときに、シェード２１２を巻き取る方向に軸体２１４を付勢するコイルばね２１６と、を有している。
【００２３】
シェード２１２の、軸体２１４に固定された端部と反対側の端部は、折り返されて重ねられ、折り返された縁部２１２ｄと間隔を隔てた位置にて、重ねられた部位が接合されて袋状をなしている。この袋状の部位には、内部に棒状部材としての丸パイプ２１２ａが、シェード２１２の幅方向におけるほぼ全域にわたって設けられている。また、丸パイプ２１２ａが内包された袋状の部位より軸体２１４側であって幅方向における両端部近傍には、環状金具２１２ｂにて縁取りされた貫通丸孔２１２ｃが設けられている。
【００２４】
軸体２１４は、円筒状の筒体２１４ａと、筒体２１４ａの両端部に取り付けられて筒体２１４ａ内部の空間を閉塞する２つのフランジ２１４ｂ、２１４ｃと、を有している。２つのフランジ２１４ｂ、２１４ｃには、各々軸方向に沿って各々反対方向に突出させて設けられた回動軸部２１４ｄ、２１４ｅが設けられている。２つのフランジ２１４ｂ、２１４ｃのうちの一方は、筒体２１４ａに対して回動自在に設けられており、他方は筒体２１４ａに嵌合され筒体２１４ａと一体に回転するように構成されている。
【００２５】
コイルばね２１６は、フランジ２１４ｂ、２１４ｃにて閉塞された筒体２１４ａ内に設けられ、コイルばね２１６の一方の端部が筒体２１４ａに固定され、他方の端部が筒体２１４ａと回動自在なフランジ２１４ｂに固定されている。このコイルばね２１６によりシェード２１２を巻き取る方向に付勢している。筒体２１４ａに対して回動自在なフランジ２１４ｂが固定されており、シェード２１２が手摺り材２２０内から引き出される際、または、手摺り材２２０内に巻き取られる際に、筒体２１４ａがフランジ２１４ｂに対して回動するように構成されている。このため、フランジ２１４ｂに設けられた回動軸部２１４ｄは断面形状が矩形状をなし、フランジ２１４ｃに設けられた回動軸部２１４ｅは断面形状が円形をなしている。
【００２６】
手摺り材２２０は、図４〜図６に示すように、中空部２２０ａと外部とを連通する開放部２２２ａを備えた手摺り材本体２２２と、開放部２２２ａを覆うとともに手摺り材本体２２２との間にスリット２２０ｂを形成するスリット形成部材２２４と、手摺り材本体２２２の両端部に設けられ手摺り材本体２２２の小口２２２ｋを覆うシェード用端部キャップ２２６と、手摺り材本体２２２及びスリット形成部材２２４と各シェード用端部キャップ２２６との間にそれぞれ設けられた端部金具２２８と、を有している。
【００２７】
手摺り材本体２２２は、アルミニウム製の押出成形部材であり、図６に示すように、壁面６と対面する鉛直な屋内側壁部２２２ｂと、屋内側壁部２２２ｂと対面して屋外側に設けられた屋外側壁部２２２ｃと、屋内側壁部２２２ｂと屋外側壁部２２２ｃと上縁同士を繋ぐ上面部２２２ｄと、屋外側壁部２２２ｃの下縁から下方及び屋内側に向かって延出された下延出部２２２ｅと、を有している。屋外側壁部２２２ｃは屋内側壁部２２２ｂより上下方向の幅が狭く形成されており、上面部２２２ｄは、室外側の部位が室外側に向かって高さが低くなるように湾曲している。下延出部２２２ｅは、上面部２２２ｄの屋外側の部位の形状と上下方向において対称形状をなし、下延出部２２２ｅの先端には、内面側にスリット形成部材２２４が嵌入される嵌入部２２２ｆが設けられている。
【００２８】
屋内側壁部２２２ｂの下縁部は、屋内側に向かって下面が湾曲し先端が上方に向かうように延出された湾曲片２２２ｈが設けられている。湾曲片２２２ｈは、屋内側壁部２２２ｂとともに、手摺り材本体２２２の全長にわたる溝部２２２ｉをなし、引き出されたシェード２１２が湾曲片２２２ｈの湾曲面を沿うように構成されている。屋内側壁部２２２ｂの下縁部の屋外側には、下方に向かって開放された凹部２２２ｊが形成されている。この凹部２２２ｊには、下方に突出するように、繊維が起毛状に設けられたモヘヤ２２９が装着されている。このため、シェード２１２の引き出し時、または、巻き込み時に湾曲片２２２ｈに沿うシェード２１２の上面がモヘヤ２２９と摺動する。湾曲片２２２ｈは、手摺り材本体２２２の他の部位より、長手方向の長さが僅かに短く形成されている。
【００２９】
屋内側壁部２２２ｂと屋外側壁部２２２ｃの内面側における上端部及び下端部には、手摺り材本体２２２の長手方向にビスが進入して螺合されるビス孔２２２ｇが形成されている。屋内側壁部２２２ｂの内面側における下端部のビス孔２２２ｇの形成部と下延出部２２２ｅとの間が、開放部２２２ａとなる。屋内側壁部２２２ｂと屋内側壁部２２２ｂの内面側に設けられたビス孔２２２ｇを形成する部位との間には、見込み方向に僅かに間隔を隔てた空隙２２２ｌが設けられており、この空隙２２２ｌに後述する裏板材２６０が配置される。
【００３０】
手摺り材本体２２２の長手方向における両端には、図５に示すように、４つのビス孔２２２ｇに螺合されるビスにてシェード用端部キャップ２２６と端部金具２２８とが固定される。
【００３１】
端部金具２２８は、鋼板が折り曲げられて形成されており、手摺り材本体２２２の長手方向における両端に取り付けられてシェードユニット２１０を支持する部材である。２つの端部金具２２８は、見付け方向における曲げ方向が反対となる対称な外形形状をなしており、シェードユニット２１０の回動軸部２１４ｄ、２１４ｅが挿入される支持孔２２８ａ、２２８ｂの形状が相違している。以下の説明においては、見付け方向において、両端に設けられた端部金具２２８の互いに対向する側を内側とし、シェード用端部キャップ２２６が隣接している側を外側として説明する。
【００３２】
端部金具２２８は、屋内側壁部２２２ｂ側に設けられた２つのビス孔２２２ｇに固定される屋内側固定部２２８ｃと、屋外側壁部２２２ｃ側に設けられた２つのビス孔２２２ｇに固定される屋外側固定部２２８ｄと、見込み方向において屋内側固定部２２８ｃと屋外側固定部２２８ｄとの間にて、見付け方向における内側、すなわち手摺り材本体２２２の内部に位置される回動軸支持部２２８ｅと、回動軸支持部２２８ｅの下縁から見付け方向における外側に延出された外側延出部２２８ｆと、を有している。２つの端部金具２２８には、一方の端部金具２２８の回動軸支持部２２８ｅに、矩形状の支持孔２２８ａが形成されており、他方の端部金具２２８の回動軸支持部２２８ｅに、円形状の支持孔２２８ｂが形成されている。
【００３３】
スリット形成部材２２４は、開放部２２２ａをほぼ塞ぐように配置される。スリット形成部材２２４の屋外側の端部が、下延出部２２２ｅの先端に設けられた嵌入部２２２ｆに嵌入されて、端部金具２２８の外側延出部２２８ｆにビス止めされる。このとき、手摺り材本体２２２とスリット形成部材２２４とにより形成される中空部２２０ａの内外を連通するスリット２２０ｂが、屋内側壁部２２２ｂの内面側における下端部のビス孔２２２ｇの形成部とスリット形成部材２２４の屋内側の端部との間に形成される。このスリット２２０ｂの幅は、シェード２１２の先端に設けられた丸パイプ２１２ａの直径より狭く形成されている。
【００３４】
シェード用端部キャップ２２６は、手摺り材本体２２２の長手方向における両端部の各々に左右方向の外側に取付けられた端部金具２２８の左右方向の外側にて、端部金具２２８を手摺り材本体２２２とシェード用端部キャップ２２６で挟みこみ、手摺り材本体２２２の湾曲片２２２ｈを除く部位の端と、スリット形成部材２２４の端とが当接され、手摺り材本体２２２に螺合されるビスが貫通する固定孔２２６ｃが設けられた側壁部２２６ａと、側壁部２２６ａの周縁部から手摺り材本体２２２の外周に沿うように、見付け方向の内側に延出された延出片２２６ｂと、を有している。より具体的には、図６に示すように、延出片２２６ｂは、屋内側壁部２２２ｂの下縁部に設けられた湾曲片２２２ｈより下の位置から湾曲片２２２ｈに沿い、湾曲片２２２ｈの上端の屋内側の位置から上面部２２２ｄの上まで設けられ、上面部２２２ｄ、屋外側壁部２２２ｃ、下延出部２２２ｅの外周面に沿って設けられている。すなわち、手摺り材本体２２２の下側には、下延出部２２２ｅの下方に当る部位を除き延出片２２６ｂは設けられていない。
【００３５】
また、手摺り材本体２２２とスリット形成部材２２４とが端部金具２２８を介して端部シェード用端部キャップ２２６とともに固定された状態では、図７に示すように、手摺り材本体２２２に設けられた溝部２２２ｉは、湾曲片２２２ｈの見付け方向における端と、シェード用端部キャップ２２６の側壁部２２６ａとの間（グレー着色部）にて、下方の空間とが連通し隙間Ｓを形成している。
【００３６】
手摺り材２２０を壁面６に固定して支持する２つの連結支持材２３０は各々、図８に示すように、壁面６にビス止めされる支持ステイ２４０と、支持ステイ２４０の固定ビスを覆って支持ステイ２４０と共に手摺り材本体２２２に固定される化粧カバー２５０と、手摺り材本体２２２の屋内側壁部２２２ｂの内面に当接されて支持ステイ２４０及び化粧カバー２５０を固定するビスが螺合される金属製の裏板材２６０と、を有している。
【００３７】
２つの連結支持材２３０は、同一形状の部材であり、見付け方向における向きが反転されて取り付けられている。以下の説明においては、見付け方向において、両端側に設けられた連結支持材２３０の互いに対向する側を内側とし、反対側を外側として説明する。
【００３８】
支持ステイ２４０は、壁面６に当接されてビス止めされる壁面固定板部２４１と、壁面固定板部２４１の見付け方向における内側の縁から屋外側に延出された延出支持部２４２と、延出支持部２４２の屋外側の縁から見付け方向における内側に延出され手摺り材本体２２２が取り付けられる手摺り材取付板部２４３と、を有している。支持ステイ２４０の壁面固定板部２４１と延出支持部２４２は、ほぼ直角をなし、また延出支持部２４２と手摺り材取付板部２４３も、ほぼ直角をなしている。
【００３９】
壁面固定板部２４１には、壁面固定板部２４１を壁面６に固定するためのビスが貫通される貫通孔２４１ａが設けられており、手摺り材取付板部２４３には、裏板材２６０を手摺り材本体２２２の屋内側壁部２２２ｂに固定するためのビスを避けるビス避け孔２４３ａと、支持ステイ２４０及び化粧カバー２５０を取り付けるために裏板材２６０に螺合されるビスが貫通される貫通孔２４３ｂと、を有している。ここで、手摺り材取付板部２４３に設けられたビス避け孔２４３ａと貫通孔２４３ｂとは、見付け方向における取付位置を調整可能な長孔である。
【００４０】
化粧カバー２５０は、支持ステイ２４０とともに屋内側壁部２２２ｂに固定されたときに延出支持部２４２と対向する対向壁部２５１と、対向壁部２５１の上縁から延出支持部２４２側に延出された上面部２５２と、対向壁部２５１の下縁から延出支持部２４２側に延出された下面部２５３と、対向壁部２５１の屋外側の縁から見付け方向における内側に延出されて屋内側壁部２２２ｂと手摺り材取付板部２４３との間に挟まれて支持ステイ２４０とともに固定される挟持固定板部２５４と、を有している。
【００４１】
対向壁部２５１、上面部２５２、及び、下面部２５３とは、繋がって壁面６に沿う平面にて切断した断面がコ字状をなしており、対向壁部２５１、上面部２５２、及び、下面部２５３の屋内側の端縁が支持ステイ２４０の壁面固定板部２４１を囲むように壁面６に当接される。支持ステイ２４０と化粧カバー２５０とが取り付けられた状態では、延出支持部２４２と、対向壁部２５１、上面部２５２、及び、下面部２５３とが、角パイプ状をなすように配置され、挟持固定板部２５４の先端側の部位と手摺り材取付板部２４３とが見込み方向に重なるように配置されて取り付けられている。このため、挟持固定板部２５４の先端側の部位にも、手摺り材取付板部２４３と同様のビス避け孔２５４ａと貫通孔２５４ｂとが設けられている。
【００４２】
裏板材２６０は、手摺り材取付板部２４３とほぼ同じ面積を有する板材であり、裏板材２６０を屋内側壁部２２２ｂに固定するためのビスが螺合されるビス孔２６０ａと、支持ステイ２４０及び化粧カバー２５０を取り付けるための２つのビス孔２６０ｂとが形成されている。
【００４３】
係止部材３は、図２、図３に示すように、手摺りユニット１が設けられている窓５の窓枠５ａに当接されてビス止めされる窓枠固定板部３１と、窓枠固定板部３１の上縁から屋外側に延出された水平延出部３２と、水平延出部３２の屋外側の縁から上方に延出されシェード２１２の環状金具２１２ｂの貫通丸孔２１２ｃが係止される係止片３３とを有している。窓枠固定板部３１と水平延出部３２、及び、水平延出部３２と係止片３３は、各々ほぼ直角をなしている。
【００４４】
係止部材３は、窓枠５ａが有する縦枠の上部側であって、窓枠５ａにて移動自在に支持されている障子８及び網戸９の上框と水平延出部３２とが水平方向に並ぶ位置に設けられている。このため、シェード２１２が手摺り材２２０から引き出されて貫通丸孔２１２ｃが係止片３３に係止されると、障子８が備えるガラス８ａ（図１）がシェード２１２により覆われる。
【００４５】
本実施形態の手摺りユニット１の取り付けは、まず、裏板材２６０がビス止めされた手摺り材本体２２２を、壁面６にビス止めされた支持ステイ２４０に化粧カバー２５０とともにビス止めする。
【００４６】
次に、シェードユニット２１０を２つの端部金具２２８により支持するとともに、手摺り材本体２２２の両端部に端部金具２２８とともにシェード用端部キャップ２２６をビス止めする。
【００４７】
次に、シェード２１２の先端の丸パイプ２１２ａが内包された部位を手摺り材本体２２２より外側に引き出し、スリット形成部材２２４の一方の端部を嵌入部２２２ｆに挿入しスリット形成部材２２４の見付け方向における両端部側を、端部金具２２８にビス止めする。そして、形成されるスリット２２０ｂの外側に、シェード２１２の先端の丸パイプ２１２ａを配置する。このとき、シェード２１２は、コイルばね２１６により巻き取られる方向に付勢されているため、スリット２２０ｂの幅より太い丸パイプ２１２ａがスリット２２０ｂを塞ぐ位置まで引き込まれる。
【００４８】
シェード２１２を使用する際には、スリット２２０ｂから突出しているシェード２１２の先端を引っ張って、手摺り材２２０から引き出し、貫通丸孔２１２ｃを係止片３３に係止する。このとき、スリット２２０ｂから引き出されたシェード２１２は、手摺り材本体２２２の湾曲片２２２ｈに沿って引き上げられて係止される。また、シェード２１２を収容する際には、係止片３３から貫通丸孔２１２ｃを外すことにより、コイルばね２１６によりシェード２１２が巻き取られて手摺り材本体２２２内に収容される。
【００４９】
本実施形態の手摺りユニット１によれば、手摺り材本体２２２内に設けられたシェード２１２を上方に引き出し、その先端を壁面６側の窓枠５ａに設けられている係止部材３の係止片３３に係止することにより手摺り材本体２２２より上側からの日射を遮る日除けを設けることが可能である。このとき、シェード２１２は手摺り材本体２２２が備える中空部２２０ａに設けられているので、シェード２１２を上方に引き出すだけで、日除けを設置することが可能である。このため、開口の少なくとも一部を覆うシェード２１２を常に備え、操作性に優れた手摺りユニット１を提供することが可能である。
【００５０】
また、シェード２１２は手摺り材本体２２２内に引き込まれる方向に付勢されており、シェード２１２の先端には、丸パイプ２１２ａが設けられており、シェード２１２には丸パイプの短手方向に沿った断面の最も幅の広い部分の幅より幅の狭い幅のスリット２２０ｂを設けているので、シェード２１２を、その先端が手摺り材本体２２２の外側に露出した状態で手摺り材本体２２２内に巻き取ることが可能である。このため、シェード２１２を引き出しやすい状態にて、手摺り材本体２２２内に収容することが可能である。また、シェード２１２が引き出されるスリット２２０ｂは手摺り材本体２２２の下部に設けられているので、スリット２２０ｂから雨水等が浸入することを防止することが可能である。
【００５１】
また、シェード２１２は、先端が手摺り材本体２２２より上方に係止されたときに湾曲片２２２ｈに沿わされているので、降雨等により雨水等がシェード２１２上を流れると、湾曲片２２２ｈ上の溝部２２２ｉに導かれる。このため、雨水等をシェード２１２上から排除することが可能であり、さらには降雨によって水滴が付着したシェード２１２を手摺り材本体２２２内に収容する際、湾曲片２２２ｈによってシェード２１２の表面を軽く摺動しながら手摺り材本体２２２内に収容される為、シェード２１２に付着した水滴を取り去ることが可能であり、手摺り材本体２２２内に入る水の浸入を抑制することが可能である。また、シェード２１２が手摺り材本体２２２内に収容されるときにシェード２１２と摺動するおそれがある、スリット２２０ｂの屋内側の部位は、中空部２２０ａより外側に突出して湾曲しているので、シェード２１２が収容される際に、シェード２１２が損傷することを防止することが可能である。
【００５２】
また、中空部２２０ａを有する手摺り材本体２２２の小口２２２ｋはシェード用端部キャップ２２６により塞がれ、シェード用端部キャップ２２６と湾曲片２２２ｈとの間に隙間Ｓが形成されているので、溝部２２２ｉに至った雨水等が中空部２２０ａ内に入ることを防止し、シェード２１２が濡れることを防止することが可能である。また、溝部２２２ｉは、隙間Ｓによって外部と連通しているので、溝部２２２ｉに至った雨水等は、隙間Ｓを通して手摺り材本体２２２の外側に排出することが可能である。このとき、溝部２２２ｉはシェード用端部キャップ２２６内を経由して外部と連通しているので、溝部２２２ｉの端部は外部に露出しない。このため、意匠性に優れた手摺りユニット１を提供することが可能である。
【００５３】
また、スリット形成部材２２４を手摺り材本体２２２に取り付けることによりスリット２２０ｂが形成されるので、軸体２１４に巻き付けられたシェード２１２の先端部をスリット２２０ｂから突出させておくことも容易である。
【００５４】
また、シェード２１２は、手摺り２内に設けられているので、手摺り２からシェード２１２を引き出して日除けを設置することが可能である。このため、シェード２１２を備えるためだけに別途横材を備える必要がないので、意匠性に優れた手摺りユニット１を提供することが可能である。
【００５５】
本手摺りユニット１は、図９に示すように、スリット形成部材２２４に替えて開放部２２２ａを閉塞する蓋体２２５を取り付けることが可能であり、シェード２１２を備えない手摺りとしても使用することが可能である。蓋体２２５は、スリット形成部材２２４と同様に、見込み方向における一方の端部が手摺り材本体２２２の嵌入部２２２ｆに嵌入され、他方の端部には、モヘヤ２２９が装着される凹部２２２ｊに係合される係合部２２５ａが設けられている。このため、蓋体２２５を手摺り材本体２２２に取り付ける際には、嵌入部２２２ｆとモヘヤ２２９が装着されていない凹部２２２ｊとの間に蓋体２２５を掛け渡されるように長手方向にスライドさせる。この場合には、端部金具２２８が不要となり手摺り用端部キャップ２２７を手摺り材本体２２２に直接ビス止めする。また、手摺り用端部キャップ２２７の延出片２２７ｂは、側壁部２２７ａのほぼ全周に設けられており、溝部２２２ｉと外部とを連通する部位だけが切り欠かれていてもよい。このように、手摺り材本体２２２に蓋体２２５を取り付けて開放部２２２ａを閉塞できるので、シェード２１２が不要な場合には、スリット形成部材２２４を蓋体２２５に変更し、シェード用端部キャップ２２６を手摺り用端部キャップ２２７に変更するだけで単一の手摺り材本体２２２等の部材を使用することが可能である。
【００５６】
また、手摺り材２２０内にシェードユニット２１０を備えたもののシェード２１２を使用しない場合には、スリット形成部材２２４を蓋体２２５に交換することにより手摺り材２２０内及びシェードユニット２１０が汚れることを防止することが可能である。また、シェード２１２を使用しない場合であっても、シェードユニット２１０が装着可能な本手摺りユニット１の手摺り材２２０を予め備えておくことにより、シェード２１２が必要となった場合には、シェードユニット２１０を装着して蓋体２２５をスリット形成部材２２４に変更し、シェード用端部キャップ２２６を手摺り用端部キャップ２２７に変更するだけで、容易に手摺りにシェード２１２を備えることが可能である。本実施形態では、シェード用端部キャップ２２６が手摺り材本体２２２の下側に延出片２２６ｂが設けられていない部分を有しており、開放部２２２ａを蓋体２２５で閉塞する際にシェード用端部キャップ２２６を手摺り用端部キャップ２２７に変更する例について説明したが、延出片が全周に設けられている場合には、必ずしも端部キャップを変更する必要はない。
【００５７】
上記実施形態においては、シェードユニット２１０を横材としての建物等の屋外側に備えられた手摺り材２２０に設けた例について説明したが、これに限るものではない。例えば、図１０に示すように、壁面に設けられたフラワーボックス７を構成する横材としての笠木７００ａ内にシェード２１２を備えても構わない。この場合には、フラワーボックス７を構成する笠木７００ａ内に備えられたシェード２１２を引き出して日除けまたは目隠しを設置することが可能である。このため、シェード２１２を備えるためだけに別途横材を備える必要がないので、意匠性に優れたフラワーボックス７を提供することが可能である。
【００５８】
上記実施形態においては、幕体を日除けとして用いるシェードとしたが、これに限らず、例えば、窓からの視線を遮る目隠しとしてのシート材を備えても構わない。また、横材は、窓枠や額縁など、室内外のいずれに設けられている部材であっても、中空部を備えてシェードユニット２１０のような幕体の引き出し及び収容が可能に幕体ユニットを設けることが可能な構成であれば構わない。
【００５９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６０】
１  手摺りユニット、２  手摺り、３  係止部材、５  窓、６  壁面、
７  フラワーボックス、２１２  シェード、２１２ａ  丸パイプ、
２１４  軸体、２２０  手摺り材、２２０ａ  中空部、２２０ｂ  スリット、
２２２  手摺り材本体、２２２ａ  開放部、２２２ｈ  湾曲片、２２２ｉ  溝部、
２２２ｋ  小口、２２４  スリット形成部材、２２５  蓋体、
２２６  シェード用端部キャップ、２２７  手摺り用端部キャップ、７００ａ  笠木
【図１】
2015030974.tif 000003
【図２】
2015030974.tif 000004
【図３】
2015030974.tif 000005
【図４】
2015030974.tif 000006
【図５】
2015030974.tif 000007
【図６】
2015030974.tif 000008
【図８】
2015030974.tif 000009
【図９】
2015030974.tif 000010
【図１０】
2015030974.tif 000011
【図７】
2015030974.tif 000012